(57)【特許請求の範囲】
【請求項１】
筐体に与えられた加速度を検出する加速度センサと、
本文と、前記加速度センサが検出可能なパラメータを含む前記本文の開封条件と、を有する開封条件付電子メールから前記開封条件を読み出す開封条件読出し部と、
前記加速度センサが検出した加速度のパラメータが、前記開封条件に含まれるパラメータと一致するか否かを判定する判定部と、
前記判定部が一致と判定すると、前記開封条件付電子メールの本文の開封を許可する開封許可部と、を備え、
前記判定部は、一の開封条件付電子メールの開封条件に含まれるパラメータと前記加速度センサが検出した加速度のパラメータとが一致するか否かの判定を行う前に、開封条件の判定を既に開始している他の開封条件付電子メールがあるかを判定し、開封条件の判定を既に開始している他の開封条件付電子メールがあると判定した場合、前記一の開封条件付電子メールの開封条件の判定を保留し、
前記他の開封条件付電子メールの開封条件に含まれるパラメータと前記加速度センサが検出した加速度のパラメータとが一致すると判定し、前記開封許可部が本文の開封を許可すると、前記判定部は、前記一の開封条件付電子メールの開封条件の判定を開始する、
携帯端末装置。
【請求項２】
前記開封条件に含まれる加速度のパラメータが、携帯端末装置のユーザの歩数によって定まるパラメータを含む、
請求項１に記載の携帯端末装置。
【請求項３】
前記開封条件が、前記判定部による判定を開始する日付及び時刻の少なくとも一方を含む、
請求項１又は２に記載の携帯端末装置。
【請求項４】
前記開封条件付電子メールが、前記本文に加えて、開封条件を告知する通知を含む、
請求項１〜３の何れか１項に記載の携帯端末装置。
【請求項５】
前記通知が、開封条件付電子メールの添付データとして含まれる、
請求項４に記載の携帯端末装置。
【請求項６】
コンピュータが、本文と、加速度センサが検出可能なパラメータを含む前記本文の開封条件と、を有する開封条件付電子メールから前記開封条件を読み出すステップと、
コンピュータが、筐体に与えられた加速度を加速度センサから読み出すステップと、
コンピュータが、前記加速度センサから読み出した加速度のパラメータが前記開封条件に含まれるパラメータと一致するか否かを判定するステップと、
コンピュータが、前記判定ステップで一致と判定すると、前記開封条件付電子メールの本文の開封を許可するステップと、
コンピュータが、一の開封条件付電子メールの開封条件に含まれるパラメータと前記加速度センサから読み出した加速度のパラメータとが一致するか否かの判定を行う前に、開封条件の判定を既に開始している他の開封条件付電子メールがあるかを判定するステップと、
開封条件の判定を既に開始している他の開封条件付電子メールがあると判定した場合、コンピュータが、前記他の開封条件付電子メールの開封条件に含まれるパラメータと前記加速度センサから読み出した加速度のパラメータとが一致すると判定し、本文の開封を許可するまで、前記一の開封条件付電子メールの開封条件の判定を保留して、その後、前記一の開封条件付電子メールの開封条件に含まれるパラメータと前記加速度センサから読み出した加速度のパラメータとが一致するか否かの判定を開始するステップと、
を有する方法。
【請求項７】
コンピュータに、
本文と、加速度センサが検出可能なパラメータを含む前記本文の開封条件と、を有する開封条件付電子メールから前記開封条件を読み出す処理と、
加速度センサから筐体に与えられた加速度を読み出す処理と、
前記加速度センサから読み出した加速度のパラメータが前記開封条件に含まれるパラメータと一致するか否かを判定する処理と、
前記判定処理で一致と判定すると、前記開封条件付電子メールの本文の開封を許可する処理と、
一の開封条件付電子メールの開封条件に含まれるパラメータと前記加速度センサから読み出した加速度のパラメータとが一致するか否かの判定を行う前に、開封条件の判定を既に開始している他の開封条件付電子メールがあるかを判定する処理と、
開封条件の判定を既に開始している他の開封条件付電子メールがあると判定した場合、前記他の開封条件付電子メールの開封条件に含まれるパラメータと前記加速度センサから読み出した加速度のパラメータとが一致すると判定され、本文の開封が許可されるまで、前記一の開封条件付電子メールの開封条件の判定を保留して、その後、前記一の開封条件付電子メールの開封条件の判定を開始する処理と、
を実行させるプログラム。
【発明の詳細な説明】
【技術分野】
【０００１】
本発明は、携帯端末装置、方法及びプログラムに関し、更に詳しくは、メール機能を有する携帯端末装置、方法及びプログラムに関する。
【背景技術】
【０００２】
近年、携帯電話機等に代表される携帯端末装置は、機能の多様化に伴い、メール機能を有している。特許文献１，２には、メール送信側が電子メール本文の開封条件をメール情報に付帯し、メール受信側の携帯端末装置が開封条件を満たした場合にのみ、電子メール本文の閲覧を許可する技術が記載されている。
【０００３】
特許文献１では、送信側が指定する開封条件として、端末ＩＤ情報、ユーザＩＤ情報、時刻、場所、ライセンス番号等を用いることが記載されている。特許文献２では、開封条件として、ＧＰＳ（Global Positioning Systems）から得られる位置情報を用いることが記載されている。
【先行技術文献】
【特許文献】
【０００４】
【特許文献１】特開２００４−２９５５５２号公報
【特許文献２】特開２００６−３２３８３４号公報
【発明の概要】
【発明が解決しようとする課題】
【０００５】
ところで、近年、健康志向が高まってきており、定量的に評価可能な歩数や歩行距離等を指標として健康管理を図る人々が増加している。本願発明者は、このような健康志向の高いユーザを主な対象者としたサービスを構築するにあたり、そのサービスに用いて好適な携帯端末装置を検討した。
【０００６】
特許文献１，２に記載の技術を適用して構築されるサービスは、例えば、携帯端末装置のユーザが到達すべき行動エリアを開封条件として指定し、行動エリアに到着したユーザにのみ、電子メール本文の開封を許可するものが挙げられる。しかし、ユーザが行動エリアに到達しても、ユーザが目標とする歩数や歩行距離等を達成したとは限らない。このため、上記サービスは、健康志向の高いユーザにとって好適なものではない。
【０００７】
本発明は、歩数や歩行距離等の開封条件をユーザが達成した場合に、電子メール本文を自動的に開封できるようにすることで、受信者であるユーザの健康維持を支援する携帯端末装置、方法及びプログラムを提供することを目的とする。
【課題を解決するための手段】
【０００８】
上記目的を達成するために、本発明は、
筐体に与えられた加速度を検出する加速度センサと、
本文と、前記加速度センサが検出可能なパラメータを含む前記本文の開封条件と、を有する開封条件付電子メールから前記開封条件を読み出す開封条件読出し部と、
前記加速度センサが検出した加速度のパラメータが、前記開封条件に含まれるパラメータと一致するか否かを判定する判定部と、
前記判定部が一致と判定すると、前記開封条件付電子メールの本文の開封を許可する開封許可部と、を備え、
前記判定部は、一の開封条件付電子メールの開封条件に含まれるパラメータと前記加速度センサが検出した加速度のパラメータとが一致するか否かの判定を行う前に、開封条件の判定を既に開始している他の開封条件付電子メールがあるかを判定し、開封条件の判定を既に開始している他の開封条件付電子メールがあると判定した場合、前記一の開封条件付電子メールの開封条件の判定を保留し、
前記他の開封条件付電子メールの開封条件に含まれるパラメータと前記加速度センサが検出した加速度のパラメータとが一致すると判定し、前記開封許可部が本文の開封を許可すると、前記判定部は、前記一の開封条件付電子メールの開封条件の判定を開始する、
携帯端末装置を提供する。
【０００９】
また、本発明は、
コンピュータが、本文と、加速度センサが検出可能なパラメータを含む前記本文の開封条件と、を有する開封条件付電子メールから前記開封条件を読み出すステップと、
コンピュータが、筐体に与えられた加速度を加速度センサから読み出すステップと、
コンピュータが、前記加速度センサから読み出した加速度のパラメータが前記開封条件に含まれるパラメータと一致するか否かを判定するステップと、
コンピュータが、前記判定ステップで一致と判定すると、前記開封条件付電子メールの本文の開封を許可するステップと、
コンピュータが、一の開封条件付電子メールの開封条件に含まれるパラメータと前記加速度センサから読み出した加速度のパラメータとが一致するか否かの判定を行う前に、開封条件の判定を既に開始している他の開封条件付電子メールがあるかを判定するステップと、
開封条件の判定を既に開始している他の開封条件付電子メールがあると判定した場合、コンピュータが、前記他の開封条件付電子メールの開封条件に含まれるパラメータと前記加速度センサから読み出した加速度のパラメータとが一致すると判定し、本文の開封を許可するまで、前記一の開封条件付電子メールの開封条件の判定を保留して、その後、前記一の開封条件付電子メールの開封条件に含まれるパラメータと前記加速度センサから読み出した加速度のパラメータとが一致するか否かの判定を開始するステップと、
を有する方法を提供する。
【００１０】
さらに、本発明は、
コンピュータに、
本文と、加速度センサが検出可能なパラメータを含む前記本文の開封条件と、を有する開封条件付電子メールから前記開封条件を読み出す処理と、
加速度センサから筐体に与えられた加速度を読み出す処理と、
前記加速度センサから読み出した加速度のパラメータが前記開封条件に含まれるパラメータと一致するか否かを判定する処理と、
前記判定処理で一致と判定すると、前記開封条件付電子メールの本文の開封を許可する処理と、
一の開封条件付電子メールの開封条件に含まれるパラメータと前記加速度センサから読み出した加速度のパラメータとが一致するか否かの判定を行う前に、開封条件の判定を既に開始している他の開封条件付電子メールがあるかを判定する処理と、
開封条件の判定を既に開始している他の開封条件付電子メールがあると判定した場合、前記他の開封条件付電子メールの開封条件に含まれるパラメータと前記加速度センサから読み出した加速度のパラメータとが一致すると判定され、本文の開封が許可されるまで、前記一の開封条件付電子メールの開封条件の判定を保留して、その後、前記一の開封条件付電子メールの開封条件の判定を開始する処理と、
を実行させるプログラムを提供する。
【発明の効果】
【００１１】
本発明の携帯端末装置、方法及びプログラムでは、歩数や歩行距離等の開封条件をユーザが達成した場合に、電子メール本文を自動的に開封できるようにすることで、受信者であるユーザの健康維持を支援する。
【図面の簡単な説明】
【００１２】
【図１】本発明の第１の実施形態に係る携帯端末装置の構成を示すブロック図。
【図２】本発明の第２の実施形態に係る携帯端末装置の構成を示すブロック図。
【図３】開封条件付メールを作成する際の処理を示すフローチャート。
【図４】開封条件付メールを受信した際の処理を示すフローチャート。
【図５】開封条件付メールの開封条件の判定処理を示すフローチャート。
【図６】開封条件付メールで判定開始日時を指定した際の処理を示すフローチャート。
【発明を実施するための形態】
【００１３】
以下、図面を参照して、本発明の例示的な実施の形態について説明する。
（第１の実施形態）
図１は、本発明の第１の実施形態に係る携帯端末装置の構成を示すブロック図である。携帯端末装置１は、図示のように、加速度センサ２と、開封条件読出し部３と、判定部４と、開封許可部５とを備える。加速度センサ２は、筐体に与えられた加速度を検出する。開封条件読出し部３は、加速度センサ２が検出可能なパラメータを含む条件を、電子メール本文の開封条件として指定した電子メールから、開封条件を読み出す。判定部４は、加速度センサ２が検出した加速度のパラメータが、開封条件に含まれるパラメータと一致するか否かを判定する。開封許可部５は、判定部４が一致と判定すると、電子メール本文の開封を許可する。
【００１４】
上記携帯端末装置１では、電子メールから開封条件を読み出し、筐体に与えられた加速度のパラメータと、指定された開封条件のパラメータとが一致すると、電子メール本文を自動的に開封できる。
【００１５】
一例として、電子メール本文の開封条件として、携帯端末装置１のユーザの歩数が指定された場合について説明する。この場合には、携帯端末装置１を所持した状態でのユーザの歩数が、開封条件として指定された歩数に達すると、電子メール本文の開封が可能となる。ここで、開封条件として歩数を指定し、更に、電子メール本文に商品を取得するためのパスワード等の情報を記載すると、指定された歩数に達したユーザにのみ、商品を提供するというサービスが構築される。このサービスは、ユーザに歩くことを促し、健康志向の高いユーザであれば、積極的に歩くことが想定され、ユーザの健康維持を支援することができる。
【００１６】
（第２の実施形態）
図２は、本発明の第２の実施形態に係る携帯端末装置の構成を示すブロック図である。携帯端末装置１０は、加速度センサ等のセンサ部１１を実装しており、筐体に与えられた加速度（或いは振動数）を検出する機能を有する。また、携帯端末装置１０は、電子メール本文を開封するための開封条件が指定された電子メール（以下、開封条件付メール）を受信する機能を有する。
【００１７】
開封条件付メールは、メール送信側の端末で作成され、センサ部１１が検出可能なパラメータを含む条件が、電子メール本文の開封条件として指定されている。センサ部１１で検出可能なパラメータとしては、例えば、筐体に与えられた加速度或いは振動数から算出される歩数、歩数から算出される歩行距離、さらに、歩数或いは歩行距離から算出される消費カロリー等が挙げられる。
【００１８】
携帯端末装置１０は、上記センサ部１１に加えて、制御部１２と、無線部１３と、アンテナ１４と、信号処理部１５と、スピーカ１６と、マイク１７と、音声処理部１８と、メール管理領域１９を含む記憶部２０と、表示部２１と、各種キー２２とを備える。なお、携帯端末装置１０は、プログラムによって制御されるコンピュータと、コンピュータによって制御されるハードウェアとを含む。
【００１９】
無線部１３は、内蔵されたアンテナ１４と最寄りの基地局との間で無線による通信を行う。信号処理部１５は、送受信信号の処理を行う。スピーカ１６は、音声を出力する。マイク１７は、音声を取得する。音声処理部１８は、各種音声信号を処理し、例えば、スピーカ１６に供給する受話音声の信号等の処理や、マイク１７から入力される音声信号の処理を行う。
【００２０】
記憶部２０のメール管理領域１９には、上記開封条件が記憶される。また、記憶部２０は、プログラムや電話帳データ等を記憶している。表示部２１は、例えば、各種文字、映像等の情報を表示し、特に、上記開封条件を満たしたときに開封される電子メール本文を表示する。各種キー２２は、筐体表面に配置され、操作キーやテンキー等を含む。制御部１２は、携帯端末装置１０のこれら各部を制御する。
【００２１】
次に、図３を参照して、メール送信側の端末が開封条件付メールを作成する際の処理について説明する。メール送信側の端末は、メール送信処理を開始すると、まず、宛先、電子メール本文、更に、添付データ等を添付した電子メールを作成する（ステップＳ１１）。ステップＳ１１での電子メールの宛先は、携帯端末装置１０である。次に、メール送信側の端末は、ステップＳ１１でのメール作成中、又はメール作成完了後に、歩数、歩行距離、消費カロリー等を開封条件のパラメータとして指定し、この開封条件を電子メールに付帯する（ステップＳ１２）。
【００２２】
続いて、メール送信側の端末は、開封条件を付帯した開封条件付メールを送信し（ステップＳ１３）、処理を終了する。ステップＳ１３では、開封条件付メールを送信する際に、メール受信側である携帯端末装置１０で開封条件を表示するか或いは非表示とするかの指定を行ってもよい。また、ステップＳ１２で電子メール本文に付帯した開封条件、及び、ステップＳ１３での開封条件の表示或いは非表示の指定は、電子メールのデータ領域に含めた形式、又は、メールデータとは独立した形式の何れであってもよく、これらの形式でメールサーバに送信される。
【００２３】
なお、ステップＳ１２又はＳ１３で、開封条件付メールに、電子メール本文に加えて、開封条件を告知する通知を含む添付データを添付してもよい。この添付データには開封条件は指定されていない。このため、携帯端末装置１０では、開封条件付メールを受信して添付データを開封することで、開封条件のパラメータがユーザに把握される。
【００２４】
以下、図４及び図５を参照して、開封条件付メールの受信側である携帯端末装置１０の動作について説明する。図４は、開封条件付メールを受信した際の処理を示すフローチャートである。まず、制御部１２は、メール受信の処理を開始させ（ステップＳ２１）、受信したメールの種別が開封条件付メールか、或いはそれ以外のメールであるかを判定する（ステップＳ２２）。制御部１２は、ステップＳ２２で受信したメールが開封条件付メールでないと判定すると（Ｎ）、既存のメール受信通知をユーザに行い（ステップＳ２３）、受信処理を終了する。
【００２５】
一方、制御部１２は、ステップＳ２２で受信したメールが開封条件付メールと判定すると（Ｙ）、開封条件付メールの受信通知をユーザに行う（ステップＳ２４）。続いて、制御部１２は、開封条件付メールの開封条件を判定する判定処理が既に開始されているか否かを確認する（ステップＳ２５）。
【００２６】
上記ステップＳ２５で、他の開封条件付メールについての開封条件を既に判定中であれば（Ｙ）、処理を終了し、また、開封条件の判定処理が開始されていなければ（Ｎ）、開封条件の判定処理を開始する（ステップＳ２６）。ここで、制御部１２は、開封条件付メールに付帯した開封条件を、記憶部２０のメール管理領域１９に記憶する。
【００２７】
図５は、上記ステップＳ２６での開封条件の判定処理を示すフローチャートである。まず、制御部１２は、記憶部２０のメール管理領域１９から、開封条件付メールの開封条件を読み出し、この開封条件に含まれるパラメータ、即ち、歩数、歩行距離、消費カロリー等を取得する（ステップＳ３１）。更に、ステップＳ３１では、制御部１２は、センサ部１１から得られる加速度、振動数等のセンサ情報に基づいて、歩数、歩行距離、消費カロリー等のパラメータの算出値を得る。以下では、ステップＳ３１の処理を開封条件パラメータ算出処理と称する。
【００２８】
続いて、制御部１２は、開封条件を読み出して取得したパラメータと、センサ情報に基づいて算出されたパラメータの算出値とを比較し、両者が一致するか否か、即ち、パラメータの算出値が開封条件を満たすか否かを判定する（ステップＳ３２）。ステップＳ３２で開封条件を満たさない場合には（Ｎ）、再び上記ステップＳ３１の開封条件パラメータ算出処理に戻る。
【００２９】
一方、上記ステップＳ３２でパラメータの算出値が開封条件を満たす場合には（Ｙ）、制御部１２は、開封条件を満たす開封条件付メールが存在している旨を示す通知と、この開封条件付メールの開封とを行う（ステップＳ３３）。次に、制御部１２は、その他の開封条件付メールで、開封条件を満たさない未開封メールがあるか否かを判定し（ステップＳ３４）、未開封メールがある場合には（Ｙ）、上記ステップＳ３１の開封条件パラメータ算出処理に戻る。
【００３０】
上記ステップＳ３４で未開封メールがない、即ち開封条件付メールが全て開封状態であれば（Ｎ）、上記開封条件パラメータ算出処理を終了し（ステップＳ３５）、開封条件の判定処理を終了する。
【００３１】
本実施形態では、歩数、歩行距離、消費カロリー等を開封条件のパラメータとして指定した開封条件付メールを受信し、センサ部１１が検出可能なパラメータが開封条件を満たすと、電子メール本文の開封を許可する。そして、電子メール本文の全てが閲覧可能となる。つまり、ＧＰＳによる位置情報で得られるユーザの行動エリアではなく、ユーザの歩数、歩行距離、消費カロリー等が開封条件を達成した場合に、開封条件付メールの電子メール本文が自動的に開封される。このため、開封条件を満たしたことをユーザが意識しなくても、その旨が通知され、電子メール本文が表示される。
【００３２】
従って、本実施形態の携帯端末装置１０を用いると、歩数、歩行距離、消費カロリー等を開封条件として指定したサービスが可能となる。一例として、開封条件付メールの電子メール本文に、キャンペーンでの商品を取得するためのパスワード等の情報が記載されている場合を想定する。この場合には、ユーザは、開封条件付メールを受信すると、開封条件を告知する添付データを閲覧し、満たさなければならない開封条件のパラメータである歩数、歩行距離、消費カロリー等を把握する。つまり、ユーザは、携帯端末装置１０を所持した状態で歩いて、歩数、歩行距離、消費カロリー等が開封条件を満たすことで、電子メール本文を閲覧でき、その後で、パスワード等の情報を参照して商品を取得できる、というサービスを利用できる。特に、健康志向の高いユーザであれば、このサービスに積極的に参加することが考えられ、ユーザの健康維持を支援することができる。
【００３３】
上記実施形態では、開封条件として、歩数、歩行距離、消費カロリーを指定する例を示したが、これに限定されない。即ち、図５に示した開封条件の判定処理を開始する日付及び時刻の少なくとも一方（以下、判定開始日時という）を、歩数、歩行距離、消費カロリーに加えて、開封条件として指定してもよい。この判定開始日は、メール送信側の端末の処理を示す図３のステップＳ１２で、開封条件として電子メールに付帯すればよい。
【００３４】
図６は、開封条件として歩数、歩行距離、消費カロリーに加えて、判定開始日時を指定した場合での、開封条件の判定処理を示すフローチャートである。まず、制御部１２は、受信した開封条件付メールの開封条件に、判定開始日時が指定されているか否かを判定する（ステップＳ４１）。ステップＳ４１で判定開始日時が指定されている場合には（Ｙ）、制御部１２は、判定開始日時が現在時刻以前か否かを判定する（ステップＳ４２）。
【００３５】
上記ステップＳ４２で、判定開始日時が現在時刻以前であれば（Ｙ）、制御部１２は、開封条件付メールに付帯した開封条件を記憶部２０のメール管理領域１９に記憶し、開封条件パラメータ算出処理を行う（ステップＳ４３）。ステップＳ４３では、開封条件に含まれる歩数、歩行距離、消費カロリー等のパラメータを取得し、更に、センサ部１１のセンサ情報に基づいて、歩数、歩行距離、消費カロリー等のパラメータの算出値を得る。なお、ステップＳ４１で、開封条件に判定開始日時が指定されていない場合には（Ｎ）、上記ステップＳ４３の処理に移行する。
【００３６】
続いて、制御部１２は、パラメータの算出値が開封条件を満たすか否かを判定し（ステップＳ４４）、開封条件を満たさない場合は（Ｎ）、上記ステップＳ４３の開封条件パラメータ算出処理に戻る。一方、ステップＳ４４で開封条件を満たす場合には（Ｙ）、開封条件を満たす開封条件付メールが存在している旨を示す通知と、この開封条件付メールの開封とを行い（ステップＳ４５）、その後で、ステップＳ４７の処理に移行する。
【００３７】
上記ステップＳ４２で、判定開始日時が現在時刻以降であれば（Ｎ）、判定開始日時を記憶部２０のメール管理領域１９に記憶し（ステップＳ４６）、ステップＳ４７の処理に移行する。
【００３８】
ステップＳ４７の処理では、判定開始日時が現在時刻以前であり、且つ、その他の開封条件付メールで開封条件を満たさない未開封メールの有無を判定する。ステップＳ４７で、未開封メールが有る場合には（Ｙ）、上記ステップＳ４１の処理に戻り、それ以降の処理を繰り返す。一方、ステップＳ４７で未開封メールがない場合には（Ｎ）、上記開封条件パラメータ算出処理を終了し（ステップＳ４８）、開封条件の判定処理を終了する。
【００３９】
本実施形態では、開封条件付メール毎に指定された判定開始日時以降に、歩数、歩行距離、消費カロリー等のパラメータの算出値が開封条件を満たすと、開封条件付メールの電子メール本文が自動的に開封され、閲覧可能となる。つまり、開封条件を満たしたことをユーザが意識しなくても、その旨が通知され、電子メール本文が表示される。
【００４０】
一例として、開封条件として判定開始日時を指定した場合に提供可能なサービスについて説明する。ここでは、電子メール本文に、キャンペーンでの商品を取得するためのパスワード等の情報と、商品が先着数名のみに提供される旨とが記載されている場合を想定する。この場合には、ユーザは、開封条件を告知する添付データ、或いは、メール送信側の端末から事前に送信された告知メールを閲覧して、開封条件を把握する。つまり、ユーザは、開封条件として指定された判定開始日時までに、或いは、判定開始日時以降直ぐに、歩数、歩行距離、消費カロリー等の開封条件を満たすことで、商品を取得できる、というサービスを利用できる。特に、健康志向の高いユーザであれば、このサービスに積極的に参加することが考えられ、ユーザの健康維持を支援することができる。
【００４１】
以上、本発明をその好適な実施形態に基づいて説明したが、本発明の携帯端末装置、方法及びプログラムは、上記実施形態の構成にのみ限定されるものではなく、上記実施形態の構成から種々の修正及び変更を施したものも、本発明の範囲に含まれる。
【符号の説明】
【００４２】
１，１０：携帯端末装置
２，１１：センサ部（加速度センサ）
３：開封条件読出し部
４：判定部
５：開封許可部
１２：制御部
１３：無線部
１４：アンテナ
１５：信号処理部
１６：スピーカ
１７：マイク
１８：音声処理部
１９：メール管理領域
２０：記憶部
２１：表示部
２２：各種キー
【図１】
0005392038.tif 000002
【図２】
0005392038.tif 000003
【図３】
0005392038.tif 000004
【図４】
0005392038.tif 000005
【図５】
0005392038.tif 000006
【図６】
0005392038.tif 000007